(57)【特許請求の範囲】
【請求項１】
酸性電解液中で交流波形電源を用いてアルミニウムウェブを連続的に電気化学的処理する平版印刷版用支持体の電解処理装置において、極性の異なる電極と、この電極間を絶縁する絶縁体とを有し、絶縁体のアルミニウムウェブ進行方向の長さをＬ１、アルミニウムウェブと電極との距離をＬ２としたとき、１０×Ｌ２≦Ｌ１≦５００ｍｍであることを特徴とする平版印刷版用支持体の電解処理装置。
【請求項２】
アルミニウムウェブの絶縁体上を通過する時間が１秒以下に設定されている請求項１に記載の平版印刷版用支持体の電解処理装置。
【請求項３】
絶縁体が酸性電解液を供給する給液ノズルとしての機能を有する請求項１に記載の平版印刷版用支持体の電解処理装置。
【発明の詳細な説明】
【０００１】
【発明の属する技術分野】
本発明は、ＰＳ版用支持体などに使用するアルミニウムウェブの表面を電気化学的に粗面化処理する平版印刷版用支持体の電解処理装置に関するものである。
【０００２】
【従来の技術】
一般に、ＰＳ版用支持体としてはアルミニウムウェブが使用されており、その表面は、その上に設けられる感光層との密着性を良好にすること、印刷時に使用する湿した水を保持すること等のために、砂目状に粗面化されている。
【０００３】
従来、この砂目状に粗面化する方法としては、例えば、特開平７−２７８９００号公報に開示されているような方法があった。この方法は、上流側電極及び下流側電極を有し、上流側電極が小型電極と主電極とからなり、小型電極と主電極とに所定の電流を流して電解処理を行うものである。しかしながら、この電解処理方法は、電解槽内の電流分布の均一性が十分ではなく、十分に均一な砂目を形成することができなかった。
【０００４】
そこで、本出願人は、特願平９−３６８２２号において、電解処理槽内の電流分布を均一化して均一な砂目を形成できるようにした平版印刷版用支持体の電解処理方法を提案した。
【０００５】
【発明が解決しようとする課題】
上記特願平９−３６８２２号で提案した電解処理方法は、同一極の電極を分割し、その電極の間に絶縁体を入れることでアルミニウム進行方向の電流分布を均一にし、これにより均一なハニカムピットを形成することができ、極めて好ましいものであったが、より効率的に均一なハニカムピットを形成することが望まれていた。  そこで、本発明者は、効率的に均一なハニカムピットを形成する手段について研究し、異なる極性の電極を同一槽内に配置した場合であっても、電極間に設けた絶縁体の長さと、アルミニウムウェブと電極との距離を特定の関係にすると、効率的に均一なハニカムピットを形成することを見出し、本発明を完成させたものである。
【０００６】
【課題を解決するための手段】
本発明の平版印刷版用支持体の電解処理装置は、酸性電解液中で交流波形電源を用いてアルミニウムウェブを連続的に電気化学的処理する平版印刷版用支持体の電解処理装置において、極性の異なる電極と、この電極間を絶縁する絶縁体とを有し、絶縁体のアルミニウムウェブ進行方向の長さをＬ１、アルミニウムウェブと電極との距離をＬ２としたとき、１０×Ｌ２≦Ｌ１≦５００ｍｍであることを特徴として構成されている。
【０００７】
本発明の平版印刷版用支持体の電解処理装置においては、絶縁体のアルミニウムウェブ進行方向の長さと、電極とアルミニウムウェブとの距離とを特定の範囲に設定することにより、ハニカムピットを形成する効率をよくしている。
【０００８】
【発明の実施の形態】
絶縁体のアルミニウムウェブ進行方向の長さをＬ１、アルミニウムウェブと電極との距離をＬ２としたとき、３×Ｌ２≦Ｌ１≦１０００ｍｍであり、好ましくは１０×Ｌ２≦Ｌ１≦５００ｍｍである。
【０００９】
Ｌ１＜３×Ｌ２では、アルミニウムウェブを流れないバイパス電流が増加し電解処理効率が５〜３０％ダウンする。また、Ｌ１＞１０００ｍｍでは、電解処理休止中にアルミニウムウェブ表面に生成したスマットが溶解してしまい、砂目が重なってしまうため処理効率が１０〜４０％ダウンする。
【００１０】
アルミニウムウェブが絶縁体（距離Ｌ１）上を通過する時間は、０．０１〜１秒の範囲が好ましく、０．１〜０．５秒の範囲がより好ましい。アルミニウムウェブが絶縁体上を通過する時間が１秒を超えると、エッチングされない部分が増加し、均一な砂目立てに必要な電気量が増大してしまう。
【００１１】
絶縁体としては、塩化ビニール、ベークライト、テフロン等の絶縁性の樹脂を用いる。また、絶縁体には、電解液を供給する給液ノズルを形成してもよく、絶縁体に給液ノズルの機能を持たせると、絶縁体と給液ノズルとを別個に設ける必要が無く、構造を簡単にすることができる。酸性電解液としては、塩酸溶液、硝酸溶液がある。
【００１２】
本発明の平版印刷版用支持体の電解処理装置について、図面を参照して説明する。
【００１３】
図１は平版印刷版用支持体の電解処理装置の断面模式図である。この図に示す電解処理槽は直給フラット型セルタイプのものであり、符号１は電解処理槽で、その内部には電解液２が貯留されている。この電解処理槽１の底面には、正電極３及び負電極４が設けられており、これらの正電極３と負電極４の間には絶縁体５が設けられており、また、正電極３と負電極４には直流電源６が接続されている。
【００１４】
電解処理槽１の底面の一方の端部には電解液の給液ノズル７が設けられ、他方の端部には電解液の排出管８が連結されており、これら給液ノズル７及び排出管８は電解液２を貯留するストックタンク（図示せず）に連結されている。また、パスロール９が電解槽１の内部において電解液２に浸漬した状態で設けられるとともに電解槽１の上方に設けられ、アルミニウムウェブ１１の搬送路が構成されている。
【００１５】
そして、絶縁体１５のアルミニウムウェブ１１の進行方向の長さをＬ１、電極３及び４とアルミニウムウェブ１１との距離をＬ２とすると、
１０×Ｌ２≦Ｌ１≦５００ｍｍ
となるように、設定されている。
【００１６】
なお、上記実施形態では、給液ノズル７を正電極３の外側端部に設けたが、絶縁体５自体に給液ノズルを設けてもよい。
【００１７】
図２は平板印刷用支持体の電解処理装置の断面模式図である。この図に示す電解処理装置は間給ラジアル型セルタイプのものであり、符号２１は電解処理槽で、その内部には電解液２２が貯留されている。この電解処理槽２１の周面には２個の電極２３、２４が設けられ、電極２３と電極２４との間及び電極２３の端部には、絶縁体からなる給液ノズル２５、２６が設けられており、電極２３、２４には交流電源２７が接続されている。
【００１８】
また、電解処理槽２１の一方の端部には電解液の排出管２８が連結されており、この排出管２７と前記給液ノズル２５、２６は電解液２２を貯留するストックタンク(図示せず)に連結されている。電解処理槽２１の上方にはパスロール２９が設けられるとともに、電解槽２１の内部には円筒状の案内板３０が設けられ、これらパスロール２９及び案内板３０で金属ウェブとしてのアルミニウムウェブ３１の搬送路が構成されている。
【００１９】
そして、給液ノズル２５のアルミニウムウェブ３１の進行方向の長さをＬ１、電極２３及び２４とアルミニウムウェブ３１との距離をＬ２とすると、
１０×Ｌ２≦Ｌ１≦５００ｍｍ
となるように、設定されている。
【００２０】
【実施例】
アルミニウムウェブを硝酸液中で交流電解する方法を用いて電解砂目が全面に生成する未エッチ消失電気量を調べ、砂目生成効率の比較実験を行なった。
【００２１】
0003705527.tif 000002
【００２２】
［実験結果］
【表１】
0003705527.tif 000003
【００２３】
以上の結果より、１０×Ｌ２≦Ｌ１≦５００ｍｍとすることで、均一な砂目形状を低い電気量で形成できることが確認された。
【００２４】
【発明の効果】
本発明の平版印刷版用支持体の電解処理装置は、均一なハニカムピットを極めて効率的に形成することができる。
【図面の簡単な説明】
【図１】  本発明による平版印刷版用支持体の電解処理装置の一実施形態の断面模式図である。
【図２】  本発明による平版印刷版用支持体の電解処理装置の他の実施形態の断面模式図である。
【符号の説明】
１，２１：電解処理槽
２，２２：電解液
３：正電極
４：負電極
５：絶縁体
１１：アルミニウムウェブ
２１：電解処理槽
２３、２４：電極
２５：給液ノズル（絶縁体）
３１：アルミニウムウェブ
【図１】
0003705527.tif 000004
【図２】
0003705527.tif 000005